(57)【要約】  【課題】ユーザーが選択した画像に対して画像処理を施した画像をユーザーに提案するときに、撮像可能な画像処理装置で提案する場合と外部出力する場合とで同じ画像処理を施した画像を提案をしても各々に適した提案にならない。  【解決手段】撮像装置用にユーザーに提案する場合は、撮影モードに対応した第１のパラメータ群の中からのパラメータ選択を優先し、外部出力用に提案画像を生成する場合はカメラの撮影モードに対応した第１のパラメータ群とカメラで画像処理可能な第２のパラメータ群の中からのパラメータ選択の優先順位を同じにする。【選択図】図２
2019012399.tif 000002
【特許請求の範囲】
【請求項１】
ユーザーが選択した画像に対して、少なくとも1つのパラメーターを変更し、提案画像として画像を生成しなおしてユーザーに少なくとも１つ以上の画像を提案する提案機能と、少なくとも１つ以上の提案画像を外部へ送信する機能を備え、提案画像を生成するための画像処理パラメータは第１のパラメーター群と第２のパラメーター群から構成され、提案画像を生成のために使用するパラメーターの選択において、提案画像を画像処理装置で表示するか外部に送信するかに応じて、第１のパラメーター群からのパラメーター選択するか第２のパラメーター群からパラメータの選択をするかの優先度を変更することを特徴とする画像処理装置。
【請求項２】
提案画像を画像処理装置に表示する場合は第１のパラメーター群を優先し、外部に送信する場合は第１と第２の両方の優先度を同じすることを特徴とする請求項１に記載の画像処理装置。
【請求項３】
画像処理装置に提案画像を表示する場合と提案画像を外部送信する場合それぞれにおいて、提案画像生成のための各々のパラメーターの変更量に対して上限または下限を設け、画像処理装置に表示するための提案画像を生成する場合は、外部送信の提案画像生成のためのパラメータ上限または下限を超えないように設定することを特徴とする請求項１に記載の画像処理装置。
【請求項４】
請求項１に記載の画像処理装置は画像撮影が可能であって、第１のパラメーター群は特定の撮影モードにおいて、ユーザーが設定可能な撮影設定に対応したパラメーターでであることを特徴とする画像処理装置。
【請求項５】
特定の撮影モードとは、ユーザが選択した画像が撮影された時に設定していた撮影モードであることを特徴とする請求項４に記載の画像処理装置。
【請求項６】
画像処理装置で提案画像を表示する場合は、提案画像の生成に使用したパラメータに対応する撮影設定を表示することを特徴とする請求項４に記載の画像処理装置。
【発明の詳細な説明】
【技術分野】
【０００１】
本発明は、画像処理装置及び画像処理装置における制御方法に関する。
【背景技術】
【０００２】
近年、デジタルカメラなど撮像可能な画像処理装置において、ネットワークなどを介して再生装置など外部に送信することが可能となっている。さらに、特許文献１では、外部器機に画像データを送信するときに撮像したＲＡＷデータがユーザーの好みなど適する画像処理を加え送信用のデータに変換して送信することが提案されている。
【先行技術文献】
【特許文献】
【０００３】
【特許文献１】特開２０１４−８２０７５号公報
【発明の概要】
【発明が解決しようとする課題】
【０００４】
しかしながらユーザーが選択した画像に対して適した画像処理を施した画像を提案画像としてを表示する場合、撮像可能な画像処理装置で再生させる場合と、外部送信して外部装置で表示させる場合とでは、選択画像に対して適する処理の要件が異なる場合がある。
【０００５】
例えば、撮像可能な画像処理装置ではユーザーに撮影の上達を促すために画像処理を施した画像表示させる場合で、外部送信する場合は、送信先の装置でそのまま使用するために画像処理を施す場合である。
【課題を解決するための手段】
【０００６】
そこで、画像絵編集装置で再生した画像に適した画像処理を施して画像示す場合と、外部送信する画像に画像処理を施す場合で、施す画像処理で使用するｒ画像パラメータを切り替える。さらに、撮像可能な画像処理装置で再生した画像に適した画像処理は、撮影時に設定できる画像パラメータに従った画像処理を施して画像を表示する。
【発明の効果】
【０００７】
提案画像として画像処理を施した画像を撮像装置で表示する場合と外部送信する場合、それぞれにおいて画像処理に使用する画像パラメータを切り替えることで、各々に対して好適な画像を表示することが可能となる。
【０００８】
さらに撮像装置で提案画像を表示する場合に施す画像処理は、撮像装置で設定できる画像パラメータに従うことで、ユーザーが好適な画像に習った撮影設定をユーザーに通知することが可能になり、ユーザーに撮影の上達を促すために画像再生をすることが可能となる。
【図面の簡単な説明】
【０００９】
【図１】本発明の構成の例を示すデジタルカメラを示す図である
【図２】本実施例を示すフローチャートである
【図３】本実施例の画面表示の例を示す図である
【図４】本実施例のパラメータテーブルの例を示す図である
【図５】本実施例のパラメータ範囲の例を示す図である
【図６】本実施例の撮影シーンに応じたパラメータの例を示す図である
【図７】本実施例の画面表示の例を示す図である
【発明を実施するための形態】
【００１０】
本発明をデジタルカメラを例に用いて説明を行う。以下、図面を参照して本発明の実施例を説明する。 図１は、本発明の実施例の構成を示す図である。
【００１１】
図1において、１００は画像処理装置である。撮像装置１００はメインカメラとサブカメラの２つの撮像部を備えている。１０−１はメインカメラ１０−２はサブカメラの撮影レンズ、１２−１はメインカメラ１２−２はサブカメラの絞り機能を備える機械式シャッター、１４−１はメインカメラ１４−２はサブカメラの光学像を電気信号に変換する撮像素子、１６−１および１６−２は撮像素子１４−１および１４−２に対応するアナログ信号出力をデジタル信号に変換するＡ／Ｄ変換器である。
【００１２】
１８−１および１８−２は対応する撮像素子１４−１、１４−２、対応するＡ／Ｄ変換器１６−１，１６−２にクロック信号や制御信号を供給するタイミング発生回路であり、メモリ制御回路２２及びシステム制御回路５０により制御される。１２−１および１２−２の機械式シャッター以外にも、１８−１または１８−２の撮像素子のリセットタイミングの制御によって、電子シャッタとして、蓄積時間を制御することが可能であり、動画撮影などに使用可能である。
【００１３】
２０−１および２０−２は画像処理回路であり、 Ａ／Ｄ変換器１６−１または１６−２からのデータ或いはメモリ制御回路２２からのデータに対して画像拡大/縮小のための画素補間処理や色変換処理、ノイズ除去処理やエッジ強調処理などを行う。
【００１４】
また、画像処理回路２０−１および２０−２においてはメモリ制御回路２２からの画像データに対して顔領域を検出する顔検出処理や顔認証のための顔の特徴データの生成なども行う。
【００１５】
その他にも、画像処理回路２０−１および２０−２では、TTL方式のAWB（オートホワイトバランス）処理をするために撮像した画像データを用いて所定の演算処理を行い、得られた演算結果をＷＢ（ホワイトバランス）評価値として算出したり、算出されたＷＢ評価値を基に画像データの色の変換なども行う。
【００１６】
さらに、画像処理回路２０−１および２０−２では、TTL方式のAF処理、AE処理、ＥＦ処理を行うための、ＡＦ評価値、ＡＥ評価値、ＥＦ評価値を算出するために、撮像した画像データを用いて所定の演算処理を行う。
【００１７】
得られたＡＦ評価値、ＡＥ評価値、ＥＦ評価値を基にシステム制御回路５０が、アルゴリズムに従って露光制御手段４０−１や４０−２、測距制御手段４２−１や４２−２に対して制御を行う。
【００１８】
２２はメモリ制御回路であり、Ａ／Ｄ変換器１６−１および１６−２、タイミング発生回路１８−１および１８−２、画像処理回路２０、メモリ３０、圧縮・伸長回路３２を制御する。
【００１９】
Ａ／Ｄ変換器１６のデータが画像処理回路２０、メモリ制御回路２２を介して、或いはＡ／Ｄ変換器１６のデータが直接メモリ制御回路２２を介して、メモリ３０に書き込まれる。
【００２０】
２８はTFT LCD等から成る画像表示部であり、メモリ３０に書き込まれた表示用の画像データはメモリ制御回路２２を介して画像表示部２８により表示される。また、画像表示部２８はメモリ３０に書き込まれた複数の画像を同時に表示することも可能である。
画像表示部２８を用いて撮像した画像データを逐次表示すれば、電子ファインダー機能を実現することが可能である。
【００２１】
また、画像表示部２８は、システム制御回路５０の指示により任意に表示をON/OFFすることが可能であり、表示をOFFにした場合には画像処理装置１００の電力消費を大幅に低減することが出来る。
【００２２】
３０は撮影した静止画像や動画像を格納するためのメモリであり、所定枚数の静止画像や所定時間の動画像を格納するのに十分な記憶量を備えている。
これにより、複数枚の静止画像を扱う場合や動画撮影の場合にも、高速かつ大量の画像書き込みをメモリ３０に対して行うことが可能となる。また、メモリ３０は認証用の特徴データを一時記憶する領域やシステム制御回路５０の作業領域としても使用することが可能である。
【００２３】
３１はＦｌａｓｈＲＯＭ等で構成された不揮発性メモリである。システム制御回路５０が実行するプログラムコードは不揮発性メモリ３１に書き込まれ、逐次読み出しながらプログラムコードを実行する。また、不揮発性メモリ内には認証用の顔の特徴データを辞書データとして記憶する領域や、システム情報を記憶する領域、ユーザー設定情報を記憶する領域を設け、さまざまな情報や設定を次回起動時に読み出して、復元することを実現している。
【００２４】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２５】
４０−１はメインカメラ４０−２はサブカメラ用の露光制御手段で絞り機能を備えるシャッター１２−１または１２−２を制御する。４２−１はメインカメラ４２−２はサブカメラ用の測距制御手段で、撮影レンズ１０−１または１０−２のフォーカシングを制御し、４４−１はメインカメラ４４−２はサブカメラ用のズーム制御手段で撮影レンズ１０−１または１０−２のズーミングを制御する。
【００２６】
４８はフラッシュであり、AF補助光の投光機能、フラッシュ調光機能も有する。
露光制御手段４０−１および４０−２、測距制御手段４２−１および４２−２はTTL方式を用いて制御されており、撮像した画像データを画像処理回路２０−１または２０−２によって演算した演算結果に基づき、システム制御回路５０が露光制御手段４０、測距制御手段４２−１または４２−２に対して制御を行う。
【００２７】
５０は画像処理装置１００全体を制御するシステム制御回路である。６０、６２、６４、６６、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００２８】
６０はモードダイアルスイッチで、電源オフ、自動撮影モード、撮影モード、パノラマ撮影モード、動画撮影モード、複数カメラの同時撮影モードや再生モード、PC接続モード等の各機能モードを切り替え設定することが出来る。
【００２９】
６２はシャッタースイッチSW1で、シャッターボタンの操作途中でONとなり、モードダイアルスイッチ６０で設定したオードに応じてメインカメラかサブカメラ、メインカメラとサブカメラの両方に対して、AF（オートフォーカス）処理、AE（自動露出）処理、AWB（オートホワイトバランス）処理等の動作開始を指示する。
【００３０】
６４はシャッタースイッチSW2で、シャッターボタンの操作完了でONとなる。フラッシュ撮影の場合、ＥＦ（フラッシュプリ発光）処理を行った後に、AE処理で決定された露光時間分、撮像素子１４−１と１４−２の少なくとも一方を露光させ、フラッシュ撮影の場合、この露光期間中に発光させて、露光期間終了と同時に露光制御手段４０−１または４０−２の少なくとも一方により遮光することで、撮像素子１４−１または１４−２の少なくとも一方への露光を終了させる。
【００３１】
撮像素子１４−１または１４−２から読み出した信号をＡ／Ｄ変換器１６−１または１６−２、メモリ制御回路２２を介してメモリ３０に画像データを書き込む読み出し処理、画像処理回路２０−１または２０−２やメモリ制御回路２２での演算を用いた現像処理、メモリ３０から画像データを読み出し、圧縮・伸長回路３２で圧縮を行う、次に記録媒体２００に画像データを書き込む記録処理という一連の処理の動作開始を指示する。
【００３２】
また、６４のシャッタースイッチSW2の発動によりモードダイアルスイッチ６０で設定したオードに応じて後述する通信装置１１０を介して画像を取得する。６６は表示切替スイッチで、画像表示部２８の表示切替をすることが出来る。この機能により、光学ファインダー１０４を用いて撮影を行う際に、TFT LCD等から成る画像表示部への電流供給を遮断することにより、省電力を図ることが可能となる。
【００３３】
７０は各種ボタン、タッチパネルや回転式ダイアル等からなる操作部で、メニューボタン、セットボタン、マクロボタン、マルチ画面再生改ページボタン、フラッシュ設定ボタン、単写/連写/セルフタイマー切り替えボタン等がある。またメニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等もある。
【００３４】
７２−１または７２−２はユーザーが撮像画像の倍率変更指示を行うズーム操作手段としてのズームスイッチ部である。以下、ズームスイッチ７２−１または７２−２ともいう。このズームスイッチ７２−１または７２−２は、撮像画角を望遠側に変更させるテレスイッチと、広角側に変更させるワイドスイッチからなる。このズームスイッチ７２を用いることにより、ズーム制御手段４４−１または４４−２を制御して撮影レンズ１０−１または１０−２の撮像画角の変更を指示し光学ズーム操作を行うトリガとなる。また、画像処理回路２０−１または２０−２による画像の切り出しや、画素補間処理などによる撮像画角の電子的なズーミング変更のトリガともなる。
【００３５】
８６はアルカリ電池の一次電池やNiCd電池やNiMH電池、Liイオン電池等の二次電池、ACアダプター等からなる電源手段である。
【００３６】
９０はメモリカードやハードディスク等の記録媒体とのインタフェース、９２はメモリカードやハードディスク等の記録媒体と接続を行うコネクタである。
【００３７】
１０４は光学ファインダであり、画像表示部２８による電子ファインダー機能を使用すること無しに、光学ファインダのみを用いて撮影を行うことが可能であり、親画面と子画面表示の同時表示をすることが可能である。
【００３８】
１１０は無線通信を用いた通信装置であり、外部のカメラやスマートフォン等と通信を行うことによって画像データやメタデータを送受信することが可能であり、受信した画像データやメタデータはシステム制御５０の指示によりメモリ制御２２を介してメモリ３０に一時記憶することができる。
【００３９】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
２１０はメモリカードやハードディスク等の記録媒体である。
【００４０】
本発明による実施例を図を用いて説明する。図２のフローはユーザーが選択した画像に対して１つの提案する画像を生成するための画像処理をするために画像処パラメータを選択し、画像生成するフローである。
【００４１】
図３はデジタルカメラで画像を再生させる場合に、画面上に表示されているユーザーが選択した画像に対して提案画像を画面表示する例である。図３においては３つの提案画像を提案１、提案２、提案３、として画像表示し、選択されている提案１の画像を生成するパラメータに対応する撮影設定を表示している。
【００４２】
例えば、図３のように提案画像を３枚表示する場合は、提案１、提案２、提案３の順に提案画像が生成され、提案画像１枚を生成するたびに図２のフロー実施される。
Ｓ２０１では再生画像を外部出力するかどうかを判定している、外部送信も含む出力する場合はＳ２０９に遷移し、デジタルカメラで画像を表示する場合はＳ２０２に遷移する。
【００４３】
Ｓ２０２ではパラメータテーブルを選択する。パラメータテーブルの例を図４に示す。パラメータテーブル１の種別はデジタルカメラの記録モード設定ＡＵＴＯの時に選べる撮影設定に基づいた画像処理パラメータ群である。パラメータテーブル２はデジタルカメラで可能な画像処理のパラメータのうちパラメータテーブル１以外の物である。
【００４４】
Ｓ２０２ではパラメータテーブル１からパラメータ選択することを決定し、Ｓ２０３に遷移する。
【００４５】
Ｓ２０３ではパラメータの上限を決定する。図５にパラメータ上限の例を示す。パラメータ範囲１はカメラ設定で可能な範囲で、パラメータ範囲２はデジタルカメラで画像処理可能な範囲となっている。
【００４６】
Ｓ２０３では図５のうちパラメータ範囲１を選択してＳ２０４に遷移する。Ｓ２０４ではＳ２０２で選択したパラメータテーブルの中から画像処理するパラメータを１つ選択してＳ２０５に遷移する。Ｓ２０４のパラメータの選択方法について図６を用いて説明する。図６は再生画像の撮影シーンごとに変更可能なパラメータを示す表である。パラメータは提案ごとに変更するため、例えば再生画像のシーンが夕景の場合、図３における提案１の画像を生成するためのパラメータとしてパラメータテーブル１に該当する彩度を選択する。
【００４７】
その場合、図３において提案２の画像生成の場合は既に提案１の画像を生成するときに夕景に対応するパラメーターテーブル１が選択されてしまい、ラメーターテーブル１から選択できるパラメータが無いためＳ２０４では選択パラメータ無しとなり、Ｓ２０５で画像生成不可と判断される。
【００４８】
Ｓ２０５で画像生成が可能な場合はＳ２０９に遷移して提案画像を生成する。パラメータの変更量については画像の選択したパラメータは範囲の中で画像データから判断する。
【００４９】
Ｓ２０５で画像生成が不可の場合はＳ２０６に遷移して図６は再生画像の撮影シーンごとに変更可能なパラメータの中からパラメータテーブル１に該当するパラメータを複数選択する。
【００５０】
複数選択する場合において、組み合わせは１つの画像に対する提案画像のパラメータ選択の組み合わせは１とする。例えば撮影シーン物体の時にパラメータの組み合わせとしてに明るさとコントラストを組み合わせ合わせた場合、次の提案画像において組み合わせが無いため、Ｓ２０６で選択できるパラメータの組み合わせが無いため画像生成のためのパラメータ無しとなり、Ｓ２０７で画像生成不可となる。
【００５１】
Ｓ２０７で画像生成可能となった場合は、Ｓ２０９に遷移して提案画像を生成する。Ｓ２０７で画像生成不可となった場合はＳ２０８に遷移し、図６は再生画像の撮影シーンごとに変更可能なパラメータを示す表の中からラメータテーブル１およびラメータテーブル２に該当するパラメータを選択して画像生成を行う。この場合は同じ画像の別の提案画像とパラメータの選択方法が重複しなければ１つのパラメータでも複数のパラメータを選択しても構わない。
【００５２】
Ｓ２０８でパラメータ選択したら、選択したパラメータと図５のパラメータ範囲に従って提案画像を生成する。
【００５３】
また、Ｓ２０５およびＳ２０７で画像生成可能と判断された場合、つまりパラメータテーブル１の中からパラメータを選択した場合は、ユーザーが該当する提案画像を選択したら図３のように提案パラメータを表示し、画像生成にパラメータテーブル２が含まれていたら提案パラメータを表示しない。
【００５４】
Ｓ２０１で提案画像を外部出力する場合、Ｓ２１０に遷移しパラメータテーブル１とパラメータテーブル２を選択する。Ｓ２１１に遷移し、図５のパラメータ範囲２を選択して、Ｓ２１２に遷移する。Ｓ２１２では図６に従って、再生画像の撮影シーンに従って選択できるパラメータから１つもしくは複数のパラメータを選択すしてＳ２１３に遷移する。
【００５５】
Ｓ２１３ではＳ２１２で選択したパラメータを図５のパラメータ範囲２の範囲内で変更して提案画像を生成する。外部出力した時に、出力を受けた装置側での表示の例を図７に示す。このように、図２のフローに従って提案画像を生成すると、デジタルカメラで提案画像を表示する場合はカメラ撮影に対応するパラメータテーブル１が優先され、外部出力するときにはパラメータテーブル１と２の優先順位は変わらない。
【００５６】
本実施例での説明は例に過ぎず、デジタルカメラで提案画像を表示する場合はカメラ撮影に対応するパラメータテーブル１のみを用いるようにしても構わないし、図６のシーンに応じて変更できるパラメータの内容を変えても構わない。Ｓ２０４においてパラメータを１つ選択しているが、Ｓ２０４，Ｓ２０５の処理を省いて最初からパラメータテーブル１から複数のパラメータを選択しても構わない。
【００５７】
また、Ｓ２０４，Ｓ０２６，Ｓ２０８，Ｓ２１２において図６のシーンに応じて変更できるパラメータを使わずに、パラメータテーブル１とパラメータテーブル２のみからパラメーターを選択しても構わない。
【符号の説明】
【００５８】
１０−１：メインカメラ撮影レンズ  １２−１：メインカメラシャッター １４−１：メインカメラ撮像素子 
１６−１：メインカメラＡ／Ｄ変換器 １８−１：メインカメラタイミング発生回路  
２０−１：メインカメラ画像処理回路  
１０−２：サブカメラ撮影レンズ  １２−２：サブカメラシャッター １４−２：サブカメラ撮像素子
１６−２：サブカメラＡ／Ｄ変換器 １８−２：サブカメラタイミング発生回路 
２０−２：サブカメラ画像処理回路  
２２：メモリ制御回路 ２８：画像表示部 ３０：メモリ ３２：画像圧縮・伸長回路
４０−１：メインカメラ露光制御手段  ４２−１：メインカメラ測距制御手段 
４４−１：メインカメラズーム制御手段  ４８：フラッシュ 
４０−２：サブカメラ露光制御手段  ４２−２：サブカメラ測距制御手段
４４−２：サブカメラズーム制御手段
５０：システム制御回路
６０：モードダイアルスイッチ ６２：シャッタースイッチSW1 ６４：シャッタースイッチSW2 
６６：表示切替スイッチ ７０：操作部 ７２：ズームスイッチ
９０：インタフェース ９２：コネクタ
１００：画像処理装置 １０２：保護手段 １０４：光学ファインダ１０６：ジャイロセンサ
１１０：GPS
２００：記録媒体 ２０２：記録部 ２０４：インタフェース ２０６：コネクタ
【図１】
2019012399.tif 000003
【図２】
2019012399.tif 000004
【図３】
2019012399.tif 000005
【図４】
2019012399.tif 000006
【図５】
2019012399.tif 000007
【図６】
2019012399.tif 000008
【図７】
2019012399.tif 000009